(57)【要約】      （修正有）【課題】ロープの結束長さを容易に調節でき、且つそのロープの末端が垂れ下がらない、水中活動用具と使用者とを結束するための結束装置を提供する。【解決手段】結束装置は、２つの端部１２を有し、水中活動用具に連結され、使用者を結束するためのロープ１０と、回転軸２１を有し、前記ロープが前記回転軸の回転につれて前記回転軸に巻き付けられるように、前記ロープと前記回転軸とが固定される巻き取り装置２０と、を含む。これによって、使用者はこの回転軸２１を回転させることによってロープ１０の結束長さを変えることができ、且つ、ロープの末端部が水中活動用具に連結されるため、ロープの端部が垂れ下がらなくなり、美観性と安全性を両立できる。【選択図】図４
0003166881.tif 000002
【実用新案登録請求の範囲】
【請求項１】
水中活動用具と使用者とを結束するための結束装置であって、
２つの端部を有し、前記水中活動用具に連結される、前記使用者を結束するためのロープと、
回転軸を有し、前記ロープが前記回転軸の回転につれて前記回転軸に巻き付けられるように、前記ロープと前記回転軸とが固定される巻き取り装置と、
を含む結束装置。
【請求項２】
前記巻き取り装置は、一旦に前記回転軸を固定し、前記回転軸の回転を防止するブレーキ装置を更に含む請求項１に記載の結束装置。
【請求項３】
前記ブレーキ装置は、前記回転軸に固定されるつめ車、及び前記つめ車に分離可能に噛み合うつめを含む請求項２に記載の結束装置。
【請求項４】
前記巻き取り装置は、ハウジングを更に含み、前記回転軸、前記つめ車及び前記つめが前記ハウジングに収納され、前記ロープが前記ハウジングに入って前記回転軸に巻き付けられ、
前記巻き取り装置は、外力を受けて前記ハウジング内向かってに移動することで、前記ブレーキ装置に当接して前記つめと前記つめ車を分離させる、前記ハウジングから外部に露出する少なくとも１つのプレス部材を更に含む請求項３に記載の結束装置。
【請求項５】
前記ブレーキ装置は、前記ハウジングに収納される弾性ポールを更に含み、前記弾性ポールが２つの側ポール及び１つの横ポールを有し、これらの側ポールが前記横ポールの両末端に連結され、これらの側ポールの一方に、前記少なくとも１つのプレス部材が固定され、前記横ポールに前記つめが固定され、且つ、前記弾性ポールのこれらの側ポールは前記少なくとも１つのプレス部材の内方への押付けによって変形することで、前記つめが前記横ポールの移動につれて前記つめ車から分離する請求項４に記載の結束装置。
【請求項６】
前記巻き取り装置は、これらの側ポールにそれぞれ固定される２つの前記プレス部材を含む請求項５に記載の結束装置。
【請求項７】
前記ブレーキ装置は、前記ハウジングに収納される弾性ポールを更に含み、前記弾性ポールの末端に、前記少なくとも１つのプレス部材が固定され、前記弾性ポールに前記つめが連結され、前記弾性ポールは前記少なくとも１つのプレス部材の内方への押付けによって圧縮されることで、前記つめが前記つめ車から分離させる請求項４に記載の結束装置。
【請求項８】
前記弾性ポールは２つの横ポール及び１つの弾性素子を含み、これらの横ポール間に前記弾性素子が挟まれ、且つこれらの横ポールの一方に前記少なくとも１つのプレス部材が固定される請求項７に記載の結束装置。
【請求項９】
前記巻き取り装置は、前記弾性ポールのこれらの末端にそれぞれ固定される合計２つの前記プレス部材を含む請求項７に記載の結束装置。
【請求項１０】
前記ブレーキ装置は合計２つの前記つめ及び２つの前記弾性ポールを含み、これらのつめがこれらの弾性ポールにそれぞれ固定され、且つ各前記弾性ポールのこれらの末端がこれらのプレス部材にそれぞれ固定される請求項９に記載の結束装置。
【請求項１１】
前記巻き取り装置は、前記回転軸の一端に固定され、且つ前記ハウジングから外部に露出される回転補助部材を更に含む請求項４に記載の結束装置。
【請求項１２】
前記結束装置は、前記水中活動用具に係合されるための２つの係合部を更に含み、前記巻き取り装置は前記回転軸を収納するハウジングを含み、前記回転軸およびこれらの係合部の一方に、前記ロープのこれらの端部がそれぞれ固定され、且つこれらの係合部の他方に前記ハウジングが固定される請求項２に記載の結束装置。
【請求項１３】
前記係合部と前記ハウジングとは一体的に成形している請求項１２に記載の結束装置。
【請求項１４】
前記結束装置は、前記水中活動用具に係合されるため２つの係合部および２つの前記巻き取り装置を含み、各前記巻き取り装置は前記回転軸を収納するハウジングを含み、各前記係合部が各前記巻き取り装置の前記ハウジングに固定され、且つ前記ロープの各前記端部が各前記巻き取り装置の前記回転軸に固定される請求項２に記載の結束装置。
【請求項１５】
各前記係合部と対応する各前記巻き取り装置の前記ハウジングとは一体的に成形している請求項１４に記載の結束装置。
【請求項１６】
前記結束装置は、前記水中活動用具に係合されるための２つの係合部を更に含み、且つこれらの係合部に、前記ロープのこれらの端部がそれぞれ固定される請求項２に記載の結束装置。
【請求項１７】
前記ロープは弾性ロープである請求項１に記載の結束装置。
【請求項１８】
前記ロープは２つの撚を含む請求項１に記載の結束装置。
【請求項１９】
前記回転軸はクランプ爪部を有し、且つ前記ロープが前記クランプ爪部に挟まれて前記回転軸に固定される請求項１に記載の結束装置。
【請求項２０】
前記水中活動用具はフリッパー、水中眼鏡またはスイミングゴーグルである請求項１に記載の結束装置。
【考案の詳細な説明】
【技術分野】
【０００１】
本考案は結束装置に関し、特に、水中活動用具と使用者とを結束するための結束装置に関する。
【背景技術】
【０００２】
潜水はずっと人々が好きな水中活動であるが、フリッパー、スイミングゴーグル又は水中眼鏡はこのような水中活動に必要な装備の１つである。水中活動を行うために、フリッパー、スイミングゴーグル又は水中眼鏡はいずれも結束装置(ｂｉｎｄｉｎｇ  ｄｅｖｉｃｅ)によって使用者に適当かつ安定に固定される必要がある。
【０００３】
フリッパーを例として、一般的に、フリッパーの結束装置は２種類ある。図１は従来の結束装置を示す。該結束装置は結束ロープ１１Ａとクリップ装置１２Ａとを含み、結束ロープ１１Ａのある箇所がクリップ装置１２Ａに挟まれる。使用者がクリップ装置１２Ａを押し付けた後、結束ロープ１１Ａを引くことによって結束ロープ１１Ａの挟まれた位置を変えることができる。
【０００４】
結束ロープ１１Ａの挟まれた位置はその末端に近づくほど、結束ロープ１１Ａのフリッパー１３Ａ後方に位置する長さが長くなり、逆に、結束ロープ１１Ａの挟まれた位置がその末端から離れるほど、フリッパー１３Ａ後方に位置する結束ロープ１１Ａの長さが短くなる。このため、使用者は自分の足首の大きさによってフリッパー１３Ａ後方に位置する結束ロープ１１Ａの長さを調整することで、結束ロープ１１Ａが適当に足首を結束することができる。
【０００５】
このような結束装置は、幅広く応用されるが、結束ロープ１１Ａの末端がフリッパー１３Ａの両側に垂れ下がるという問題がある。すると、かなり美観性に欠けるだけでなく、垂れ下がった末端が他の物体に掛かる、又は、踏まれる可能性があり、結束ロープ１１が引っ張られて破断するおそれがあり、更に使用者が転びかねない。
【０００６】
図２を参照すると、それは他の従来の結束装置である。この結束装置は、一定の長さを有するが弾性的に伸びることのできる弾性結束ロープ１１Ｂを含む。弾性結束ロープ１１Ｂは、その両端に設けられたクリップ装置１２Ｂによってフリッパー１３Ｂの両側に固定されている。このような結束装置は一定の長さの弾性結束ロープ１１Ｂの弾性によって、足首に直接プレスして結束する。
【０００７】
弾性結束ロープ１１Ｂの末端がフリッパー１３Ｂの両側に垂れ下がらないため、第１種の従来の結束装置の問題がない。しかしながら、弾性結束ロープ１１Ｂの長さを大幅に調整できないため、ある使用者にとっては短すぎて結束力が大きすぎてしまい、又、ある使用者にとっては長すぎて結束力が不足になってしまう。
【考案の概要】
【考案が解決しようとする課題】
【０００８】
上記した問題は、フリッパーに加えて、他の水中活動用具（例えば、水中眼鏡、スイミングゴーグル等）の結束装置にも同様な問題がある。これに鑑みて、前記欠点を改善できる結束装置を提供することは、業界に差し迫った課題である。
【０００９】
本考案の目的は、ロープの結束長さを容易に調整でき、且つそのロープの末端が垂れ下がらない、水中活動用具と使用者とを結束するための結束装置を提供することにある。
【課題を解決するための手段】
【００１０】
前記目的を達成するために、本考案は、２つの端部を有し、水中活動用具に連結される、使用者を結束するためのロープと、回転軸を有し、前記ロープが前記回転軸の回転につれて前記回転軸に巻き付けられるように、前記ロープと前記回転軸とが固定される巻き取り装置と、を含む結束装置を開示する。
【００１１】
これによって、使用者はこの回転軸を回転させることによってロープの結束長さを変えることができ、且つ、ロープの末端部が水中活動用具に連結されるため、ロープの端部が垂れ下がらなくなり、美観性と安全性を両立できる。
【００１２】
前記目的、技術特徴、及びメリットをよりわかりやすくするように、以下、好適な実施例および図面に基づいて詳しく説明する。
【図面の簡単な説明】
【００１３】
【図１】図１は従来の結束装置の模式図である。
【図２】図２はその他の従来の結束装置の模式図である。
【図３】図３は本考案による結束装置の第１の好適な実施例の立体組立図である。
【図４】図４は本考案による結束装置の第１の好適な実施例のもう１つの立体組立図である。
【図５】図５は本考案による結束装置の第１の好適な実施例の立体分解図である。
【図６】図６は本考案による結束装置の第１の好適な実施例の回転軸が時計回り方向に沿って回転する模式図である。
【図７】図７は本考案による結束装置の第１の好適な実施例のブレーキ装置の動作模式図である。
【図８】図８は本考案による結束装置の第１の好適な実施例の回転軸が逆時計方向に沿って回転する模式図である。
【図９】図９は本考案による結束装置の第１の好適な実施例のブレーキ装置のその他の動作模式図である。
【図１０】図１０は本考案による結束装置の第１の好適な実施例のブレーキ装置のもう１つの動作模式図である。
【図１１】図１１は本考案による結束装置の第２の好適な実施例の立体組立図である。
【図１２】図１２は本考案による結束装置の第２の好適な実施例のブレーキ装置の動作模式図である。
【図１３】図１３は本考案による結束装置の第２の好適な実施例のブレーキ装置のもう１つの動作模式図である。
【図１４】図１４は本考案による結束装置の第３の好適な実施例の立体組立図である。
【図１５】図１５は本考案による結束装置の第４の好適な実施例の立体組立図である。
【考案を実施するための形態】
【００１４】
図３〜図５は、本考案による結束装置１の第１の好適な実施例を示す。結束装置１は、水中活動用具（例えば、スイミングゴーグル、水中眼鏡、フリッパー等）を使用者の身体に結束することで、水中活動用具が使用者の身体から離脱しないようにすることができる。
【００１５】
本考案による結束装置１は、ロープ１０と、巻き取り装置２０と、２つの係合部３０と、を含む。ただし、ロープ１０はいずれの形態の縄又はひもでもよい。本実施例において、ロープ１０は弾性ロープであり、且つ２つの撚１１を含み、ロープ１０の２つの撚１１は端部１２に端と端が繋がってループを形成する。ロープ１０の両端部１２のいずれも水中活動用具に連結してもよい。
【００１６】
巻き取り装置２０は主に回転軸２１を含む。回転軸２１はロープ１０と固定され、ロープ１０が回転軸２１の回転につれて回転軸２１に巻き付けられる。ロープ１０の回転軸２１に固定された箇所が制限されなく、この実施例において、ロープ１０の一方の端部１２が回転軸２１に固定され、他方の端部１２が巻き取り装置２０外に伸びる。回転軸２１とロープ１０との固定方式は、複数の種類があるが、本実施例において、回転軸２１がクランプ爪部２１１を有し、ロープ１０がクランプ爪部２１１に挟まれるという好適な方式を採用している。その他の実施形態において、ロープ１０が回転軸２１に結ばれてもよく、又は回転軸２１に接着されてもよい。
【００１７】
使用者は回転軸２１の回転巻数を制御することによって、回転軸２１に巻き付けられたロープ１０の長さを調整でき、回転軸２１に巻き付けられなく且つ巻き取り装置２０外に伸びるロープ１０の長さは使用者を結束するためのものである。後の説明の便宜上、ロープ１０の使用者を結束するための長さをロープ１０の結束長さと定義する。
【００１８】
巻き取り装置２０は、回転軸２１に加えて、ハウジング２２、回転補助部材２３及びブレーキ装置２４を更に含む。
【００１９】
ハウジング２２は中空構造体であり、回転軸２１がハウジング２２に収納されることができ、且つハウジング２２に回動可能に連結され、すなわち、ハウジング２２には回転軸２１が回転できる。図５に示すように、ハウジング２２は開口２２１を備えてよく、それによって、ロープ１０が開口２２１を通じてハウジング２２内に入り、回転軸２１に巻き付けられることができる。回転補助部材２３は回転軸２１の一方端に固定され、且つハウジング２２の外部に露出する。回転補助部材２３は回転軸２１よりも大きい直径の円柱体でよく、且つその外縁面に凹みを有し、これによって、使用者は回転補助部材２３を容易に回転させて回転軸２１を回転駆動できる。特に強調すべきことは、回転補助部材２３の構造は円柱体に限られなく、使用者が回転軸２１を回転させることに役立つ構造(例えば、つまみ、トグルや回転ハンドル等)であれば、いずれも本考案の回転補助部材２３でもよい。また、回転軸２１自身は使用者が好適に回転させれば、回転補助部材２３を設けなくてもよい。
【００２０】
ブレーキ装置２４は、回転軸２１を一旦固定することで、回転軸２１がロープ１０の結束長さを長くする方向（例えば、逆時計方向）へ回転することを防止し、又は、一旦に回転軸２１の回転を完全に禁止する。これによって、使用者は回転軸２１を回転させてロープ１０の結束長さを調整した後、ロープ１０が引かれて長くなることを心配しなくてもよい。このため、ブレーキ装置２４は、ロープ１０が使用者の身から離脱することを避ける安全対策と見なしてもよい。
【００２１】
本考案において、ブレーキ装置２４は、共にハウジング２２に収納されているつめ車２４１及びつめ２４２を含む。そのうち、つめ車２４１は回転軸２１に固定され、回転軸２１と同期に回動できる。つめ２４２は、つめ車２４１に分離可能に噛み合わせるように、ハウジング２２内に移動できる。つめ２４２は、外力を受けると、移動してつめ車２４１から分離する以外の場合、常につめ車２４１に噛み合っている。
【００２２】
図６及び図７を参照すると、つめ２４２がつめ車２４１に噛み合う時、つめ車２４１が所定の方向（例えば、時計回り方向）しか回転できず、つまり、ロープ１０の結束長さを短くする方向だけへ回転する。図８及び図９を参照すると、つめ車２４１は外力を受けない時に逆転（例えば、逆時計方向に沿って回転）できない。これはつめ車２４１がつめ２４２に当接されるからである。図１０を参照すると、つめ２４２とつめ車２４１とが分離する場合だけ、つめ車２４１が逆転できる。
【００２３】
つまり、つめ２４２とつめ車２４１とが噛み合っている時、使用者がロープ１０の結束長さを短くする方向（時計回り方向）へ回転軸２１を回転させることができるが、油断してロープ１０が引かれる時、回転軸２１も逆転（逆時計方向へ回転）できない。つめ２４２とつめ車２４１とが分離する時、使用者が回転軸２１を逆転（逆時計方向へ回転）させることで、ロープ１０の結束長さを長くすることができる。
【００２４】
図７及び図１０を参照すると、使用者が回転軸２１を逆転させることでロープ１０の結束長さを長くすることができるように、つめ２４２とつめ車２４１とを分離させるため、巻き取り装置２０はハウジング２２の外部に露出する２つのプレス部材２５を更に含む。プレス部材２５は使用者からの外力を受ける時、ブレーキ装置２４に当接してつめ２４２とつめ車２４１とを分離させるように、ハウジング２２内に向かって移動できる。
【００２５】
具体的には、ブレーキ装置２４は、プレス部材２５によって押圧されてつめ２４２とつめ車２４１とを更に分離させる弾性ポール２４３を更に含む。そのうち、弾性ポール２４３はハウジング２２に収納され、且つ２つの側ポール２４３１及び１つの横ポール２４３２を有する。側ポール２４３１は横ポール２４３２の２つの末端にそれぞれ連結され、Ｕ型に類似する構造を形成している。前記２つのプレス部材２５は前記２つの側ポール２４３１にそれぞれ固定され、横ポール２４３２につめ２４２が固定されている。使用者が力を印加してプレス部材２５を内方へ移動させる時、側ポール２４３１がプレス部材２５の押付けによって変形し、横ポール２４３２を回転軸２１から離れる方向へ移動させ、この時、つめ２４２が横ポール２４３２の移動につれてつめ車２４１から分離する。使用者が力の印加を停止した後、側ポール２４３１が元の形状に回復し、横ポール２４３２も元の位置に戻り、再びつめ車２４１につめ２４２が噛み合わさる。
【００２６】
上述した説明では、２つのプレス部材２５を例とするが、１つのプレス部材２５を用いてもよい。具体的には、プレス部材２５が一方の側ポール２４３１に固定され、他方の側ポール２４３１がハウジング２２の内側に固定される。プレス部材２５が押圧された後、側ポール２４３１がスムーズに変形して横ポール２４３２を移動駆動させることができる。
【００２７】
前記係合部３０は、水中活動用具に係合されるためのものであり、その係合方式として、図１及び図２に示すクリップ装置１２Ａ、１２Ｂを参照してよい。本実施例において、ロープ１０の２つの端部１２が巻き取り装置２０の回転軸２１及び前記２つの係合部３０の一方にそれぞれ固定され、且つ２つの係合部３０の他方が巻き取り装置２０のハウジング２２に固定されるとともに、ハウジング２２と一体的に成形できる。係合部３０によって、巻き取り装置２０及びロープ１０の端部１２は水中活動用具に連結されることができる。
【００２８】
以上、結束装置１の第１の好適な実施例を説明した。次に、結束装置のその他の好適な実施例を説明する。
【００２９】
本考案による結束装置２の第２の好適な実施例は図１１を参照する。結束装置２は、第１の好適な実施例の結束装置１と異なるのは、つめ２４２の数および他の形態の弾性ポール２４４を有することである。詳しい説明は以下の通りである。
【００３０】
本実施例において、ブレーキ装置２４は２つのつめ２４２及び２つの弾性ポール２４４を含む。つめ２４２はつめ車２４１の両側にそれぞれ位置し、弾性ポール２４４もつめ車２４１の両側にそれぞれ位置するとともに、つめ２４２にそれぞれ固定されている。２つのプレス部材２５は各弾性ポール２４４の両末端にそれぞれ固定されている。
【００３１】
図１２を参照すると、プレス部材２５が内方へ押付けられる時、弾性ポール２４４が圧縮され（長さが短くなり）、つめ２４２が弾性ポール２４４の圧縮につれて移動し、これによってつめ車２４１から分離し、これにより、使用者が回転軸２１を逆転（逆時計方向へ回転）させることでロープ１０の結束長さを長くすることができるようになっている。図１３を参照すると、プレス部材２５に対する押付けを停止する時、弾性ポール２４４が元の長さに回復し、つめ２４２も元の位置に戻り、再びつめ車２４１に噛み合わせることによって、つめ車２４１が逆転してロープ１０の結束長さを長くすることを防止する。
【００３２】
弾性ポール２４４の圧縮・回復特性は以下の方式によって実現できる。弾性ポール２４４のそれぞれは、互いに平行に移動できる２つの横ポール２４４１及び１つの弾性素子２４４２を含む。横ポール２４４１がプレス部材２５にそれぞれ固定され、弾性素子２４４２が横ポール２４４１の間に挟まれている。つめ２４２が一方の横ポール２４４１に連結されている。そのうち、弾性素子２４４２は、例えば、圧縮スプリングやシリカゲルブロック、ゴムブロック等のような良好な弾性を有する物質であればいずれでもよい。
【００３３】
具体的には、図１２に示すように、プレス部材２５が内方へ押付けられる時、横ポール２４４１が互いに対向に移動し、つめ２４２がそれにつれてつめ車２４１に噛み合わせず移動し、この時に、弾性素子２４４２が圧縮され、回転軸２１が逆転（逆時計方向へ回転）できる。図１３に示すように、プレス部材２５に対する押付けを停止する時、弾性素子２４４２が弾力を解放して横ポール２４４１を元の位置に戻し、この時、つめ２４２も同様に元の位置に戻り、再びつめ車２４１に噛み合わせる。
【００３４】
第２実施例に関する上述した説明も２つのプレス部材２５を例とするが、１つのプレス部材２５を用いてもよい。具体的には、１つのプレス部材２５が弾性ポール２４４の一方の末端に固定され、弾性ポール２４４の他方の末端がハウジング２２の内側に固定されている。更に具体的には、プレス部材２５が弾性ポール２４４の一方の横ポール２４４１に固定され、弾性ポール２４の他方の横ポール２４４１がハウジング２２内側に固定されている。
【００３５】
また、ブレーキ装置２４も１つのつめ２４２及び１つの弾性ポール２４４のみ備えてよく、この唯一の弾性ポール２４４も１つ又は２つのプレス部材２５に合わせてもよい。ブレーキ装置２４は、つめ２４２と弾性ポール２４４の位置を適当に配置し、つめ２４２とつめ車２４１とを噛み合わせ、且つ弾性ポール２４４が圧縮された後、つめ２４２が弾性ポール２４４の圧縮につれて移動してつめ車２４１から分離できれば、２つ以上のつめ２４２及び弾性ポール２４４を更に含んでよい。つまり、つめ２４２、プレス部材２５及び弾性ポール２４４の数のいずれも１つ以上であればよい。
【００３６】
図１４を参照すると、本考案による結束装置３の第３の好適な実施例であり、前記第１の実施例および第２の実施例に説明した結束装置１、２に類似する。第３の好適な実施例の結束装置３は、結束装置１、２と異なるのは、結束装置３が合計２つの巻き取り装置２０を含むことである。
【００３７】
本実施例の巻き取り装置２０は、前記第１、第２実施例に説明した巻き取り装置２０でもよく、その他の均等変化した巻き取り装置２０でもよい。本実施例において、ロープ１０の各端部１２が各巻き取り装置２０の回転軸２１にそれぞれ固定され、各係合部３０が各巻き取り装置２０のハウジング２２に固定され、且つ対応するハウジング２２と一体的に成形することができる。これによって、使用者が２つの巻き取り装置２０をそれぞれ用いてロープ１０の結束長さを調整でき、結束長さの調整量を増加できる。前記した第１、第２の実施例に類似する本実施例による結束装置３の一部はここでは再度述べない。
【００３８】
図１５を参照すると、本考案の結束装置４の第４の好適な実施例である。結束装置４は、結束装置１に類似し、共にロープ１０、巻き取り装置２０及び水中活動用具に係合されるための２つの係合部３０を含むが、両者の配置方式が異なっている。本実施例による結束装置４において、巻き取り装置２０の回転軸２１がロープ１０の中央部分（端部１２の間に位置する）に固定されているため、端部１２がいずれも巻き取り装置２０外に伸び、且つ係合部３０にそれぞれ固定されている。これによって、回転軸２１がロープ１０の結束長さを短くする方向に向けて回転する時、回転軸２１の両側に位置するロープ１０が同時に回転軸２１に巻き付けられ、ロープ１０の結束長さを比較的はやく低減させる。前記した実施例に類似する本実施例による結束装置４の一部はここでは再度述べない。
【００３９】
以上、結束装置の各好適な実施例を説明した。前記したこれらの好適な実施例はまだ様々な変化がある。例えば、結束装置とロープの端部が他の方式によって水中活動用具に連結されてよく、例えば、ロープの端部が水中活動用具に縛られ、ハウジングも水中活動用具と一体的に成形することができ、これによって、係合部はなくてもよい。
【００４０】
また、ブレーキ装置の回転軸が軸方向に移動できるように設計することができる。このように、使用者が回転軸を直接押付けて回転軸およびつめ車を移動させ、更につめ車とつめとを分離させることができる。このような設計で、プレス部材および弾性ポールのいずれも省略してもよい。
【００４１】
以上をまとめると、本考案による結束装置はいろいろなメリットを有し、挙げれば以下の通りである。
１．ロープの結束長さが調整できることによって、使用者を適切に且つ快適的に結束できる。
２．回転軸を回転させることによってロープの結束長さを調整でき、従来の結束装置のようにロープを引く必要がない。
３．ロープは垂れ下がる端部がないため、踏まれる可能性は避けられ、且つ、不注意で引かれたり、他の物に掛かったりして、ロープが引っ張られて破断するおそれはなく、ひいては、使用者が転ぶこともなく、且つ美観を有する。
４．ブレーキ装置によって、ロープの結束長さが調整された後、容易に変化させないようにできる。
【００４２】
本考案の実施様態及び技術特徴を前記実施例を例として開示したが、これは決して本考案を限定するものではなく、当該分野の技術を熟知しているものであれば、本考案の精神と領域を離脱しない範囲内で、多様な変更や修正を加えることができる。従って本考案の保護範囲は、特許請求の範囲で指定した内容を基準とする。
【符号の説明】
【００４３】
１１Ａ、１１Ｂ：結束ロープ 
１２Ａ、１２Ｂ: クリップ装置
１３Ａ、１３Ｂ：フリッパー
１、２、３、４：結束装置
１０：ロープ
１１：撚
１２：端部
２０：巻き取り装置
２１：回転軸
２１１：クランプ爪部
２２：ハウジング
２２１：開口
２３：回転補助部材
２４：ブレーキ装置
２４１：つめ車
２４２：つめ
２４３：弾性ポール
２４３１：側ポール
２４３２：横ポール
２４４：弾性ポール
２４４１：横ポール
２４４２：弾性素子
２５：プレス部材
３０：係合部
【図１】
0003166881.tif 000003
【図２】
0003166881.tif 000004
【図３】
0003166881.tif 000005
【図４】
0003166881.tif 000006
【図５】
0003166881.tif 000007
【図６】
0003166881.tif 000008
【図７】
0003166881.tif 000009
【図８】
0003166881.tif 000010
【図９】
0003166881.tif 000011
【図１０】
0003166881.tif 000012
【図１１】
0003166881.tif 000013
【図１２】
0003166881.tif 000014
【図１３】
0003166881.tif 000015
【図１４】
0003166881.tif 000016
【図１５】
0003166881.tif 000017